(57)【特許請求の範囲】
【請求項１】
所定の環境中に置かれることによる紙葉類からの発光を検出して真贋を識別する紙葉類の識別装置であって、
対向電極と、
コロナ放電を生じさせ得る電磁界を対向電極間で発生させる電磁界形成手段と、
この電磁界中で上記コロナ放電によって励起された紙葉類の生地を含めた紙葉類全体から生じた光を受光する受光手段と、
この受光手段からの出力に基づいて真贋を判別する真贋判別手段とを備え、
上記対向電極は、レンズ部を有し、
コロナ放電によって生じた紙葉類の生地を含めた紙葉類全体から生じた光が上記レンズ部によって上記受光手段に集光されることを特徴とする紙葉類の識別装置。
【請求項２】
上記電磁界形成手段によって形成された電磁界を横断するように紙葉類を搬送する搬送手段と、紙葉類の電磁界中の搬送を検出する紙葉類検出手段とが備えられ、
上記受光手段は、上記紙葉類検出手段が紙葉類を検出したときに動作するように構成されていることを特徴とする請求項１記載の紙葉類の識別装置。
【請求項３】
搬送中の紙葉類の異常を検出する異常検出手段と、この異常検出手段の異常検出により上記電磁界形成手段の駆動を停止させる停止手段とが設けられていることを特徴とする請求項２記載の紙葉類の識別装置。
【請求項４】
所定の紙葉類について、コロナ放電に起因する発光分布を記憶しており、
上記真贋判別手段は、上記発光分布と上記受光手段によって受光した発光分布とを比較し、この比較結果に基づいて真贋を判別することを特徴とする請求項１から３の何れか１項に記載の紙葉類の識別装置。
【請求項５】
上記レンズ部は、上記対向電極にそれぞれ設けられていることを特徴とする請求項１から４の何れか１項に記載の紙葉類の識別装置。
【請求項６】
上記レンズ部は、透明導電膜と透明絶縁膜とを備えていることを特徴とする請求項５に記載の紙葉類の識別装置。
【請求項７】
発光素子を備えており、
上記受光手段は、上記発光素子からの光を、上記レンズ部を通して紙葉類に照射するとともにその反射光を上記レンズ部を通して受光するとともに、コロナ放電によって生じた紙葉類からの光を上記レンズ部を通して受光することを特徴とする請求項１から４の何れか１項に記載の紙葉類の識別装置。
【請求項８】
所定の環境中に置かれることによる紙葉類からの発光を検出して真贋を識別する紙葉類の識別方法であって、
コロナ放電を生じさせ得る電磁界を対向電極間で発生させ、
この電磁界中で上記コロナ放電によって励起された紙葉類の生地をも含めた紙葉類全体から生じた光を上記対向電極に設けられたレンズ部によって受光手段に集光し、
この受光手段からの出力に基づいて真贋を判別することを特徴とする紙葉類の識別方法。
【請求項９】
紙葉類を検出したときに上記受光手段が動作することを特徴とする請求項８記載の紙葉類の識別方法。
【請求項１０】
異常検出により上記電磁界の発生を停止させることを特徴とする請求項８記載の紙葉類の識別方法。
【請求項１１】
所定の紙葉類について記憶され且つコロナ放電に起因する発光分布と上記受光手段によって受光した発光分布とを比較し、この比較結果に基づいて真贋を判別することを特徴とする請求項８記載の紙葉類の識別方法。
【請求項１２】
上記レンズ部は、上記対向電極にそれぞれ設けられていることを特徴とする請求項８から１１の何れか１項に記載の紙葉類の識別方法。
【請求項１３】
発光素子からの光を上記レンズ部を通して紙葉類に照射し、その反射光を上記受光手段により、上記レンズ部を通して受光するとともに、コロナ放電によって生じた紙葉類からの光を上記受光手段により、上記レンズ部を通して受光することを特徴とする請求項８から１１の何れか１項に記載の紙葉類の識別方法。
【発明の詳細な説明】
【０００１】
【発明の属する技術分野】
本発明は、各種の紙葉類、例えば紙幣や株券等の有価証券類さらには各種の伝票類等の真贋をより確実に識別することができる紙葉類識別装置に関するものである。
【０００２】
【従来の技術】
従来、紙幣や有価証券等の紙葉類の真贋を識別する紙葉類識別装置が知られている。かかる識別装置は、紙葉類の各所に印刷されている文字、図形、記号、模様（以下模様等という）を光学的に読み取って電気信号に変換し、予め記憶されている本物の模様等と比較することによって真贋を識別するものが一般的であった。
【０００３】
しかし、近年、贋作技術が巧妙化して通常の印刷模様のみを対象としては真贋の判別が困難になっていることから、ヨーロッパ特許の特許公報ＥＰ０９９６０９９Ａ２に記載されているように、紫外線や交番電圧に反応して蛍光を発する材料（エレクトロルミネセンス（ｅｌｅｃｔｒｏｌｕｍｉｎｅｓｃｅｎｃｅ（以下ＥＬ材料という））を用いた発光インキで紙幣が印刷されることがある。かかる発光インキを使用すると、紙葉類は、それに紫外線を照射したり、それを交流電磁界内に置くことにより発光するため、たとえ通常の印刷による模様等が真贋の紙葉類で一致していてもこの発光の有無を検出することによって真贋を識別することができる。
【０００４】
【発明が解決しようとする課題】
ところで、たとえ紫外線や交番電圧に反応して発光するインキで紙葉類に印刷処理を施しても、贋作者が同様のインキを用いて偽物の紙葉類を作成すれば、その紙葉類は紙葉類識別装置によって本物と判定されてしまうという問題点を有している。
【０００５】
本発明は、上記のような問題点を解消するためになされたものであり、紙葉類そのものに対して総合的な評価を行うことを可能にし、これによって確実に真贋を判定することができる紙葉類識別装置を提供することを目的としている。
【０００６】
【課題を解決するための手段】
請求項１記載の発明は、所定の環境中に置かれることによる紙葉類からの発光を検出して真贋を識別する紙葉類の識別装置であって、対向電極と、コロナ放電を生じさせ得る電磁界を対向電極間で発生させる電磁界形成手段と、この電磁界中で上記コロナ放電によって励起された紙葉類の生地を含めた紙葉類全体から生じた光を受光する受光手段と、この受光手段からの出力に基づいて真贋を判別する真贋判別手段とを備え、上記対向電極は、レンズ部を有し、コロナ放電によって生じた紙葉類の生地を含めた紙葉類全体から生じた光が上記レンズ部によって上記受光手段に集光されることを特徴とするものである。
【０００７】
この発明によれば、紙葉類をコロナ放電が生じ得る電磁界環境に置くことにより、紙葉類からはコロナ放電に起因した発光が起こり、この発光は、例えば真贋判別のために印字されたセキュリティマーク等の特定の位置からのみでなく、紙葉類の生地をも含めた全体から生じるものであるため、装置に本物の紙葉類の全面に亘ったコロナ放電に起因する発光分布を予め記憶させておくことにより、本物の紙葉類の発光分布と、識別対象の発行分布とを真贋判別手段に比較させることによって紙葉類の真贋が確実に識別される。
【０００８】
すなわち、コロナ放電による紙葉類からの発光は、紙葉類の厚み分布やインク層の厚み分布、さらには各種の印刷インキの有無等によって変動するものであるため、本物の紙葉類の厚み分布を特定のものにしたり、厚み分布との兼ね合いで各種の印刷インキを用いたりすることにより、単に印刷インキを選択することのみによっては、真贋の見分けが困難な偽物の紙葉類を作成することができないのであり、これによって偽物製造に対する抑止効果が得られるとともに、たとえ偽物がつくられても偽物であることが容易かつ確実に識別される。
【０００９】
請求項２記載の発明は、請求項１記載の発明において、上記電磁界形成手段によって形成された電磁界を横断するように紙葉類を搬送する搬送手段と、紙葉類の電磁界中の搬送を検出する紙葉類検出手段とが備えられ、上記受光手段は、上記紙葉類検出手段が紙葉類を検出したときに動作するように構成されていることを特徴とするものである。
【００１０】
この発明によれば、紙葉類に、電磁界形成手段によって得られた電磁界環境を搬送手段の駆動で横断させながら横断中の紙葉類に対して受光手段によって走査を行うことで紙葉類の搬送方向に沿った発光分布が容易に得られる。そして、受光手段を移動させずに紙葉類を搬送することにより走査が容易になるとともに、走査構造が簡単なものになる。
【００１１】
そして、受光手段は、紙葉類検出手段が紙葉類を検出したときに動作するように構成されているため、電磁界環境に対する紙葉類の供給・排出の都度、受光手段の駆動・停止のためのスイッチ操作を行う必要がなくなり、装置の操作性が向上する。
【００１２】
請求項３記載の発明は、請求項２記載の発明において、搬送中の紙葉類の異常を検出する異常検出手段と、この異常検出手段の異常検出により上記電磁界形成手段の駆動を停止させる停止手段とが設けられていることを特徴とするものである。
【００１３】
この発明によれば、高電圧が印加された状態の電磁界環境で紙葉類が高電流による発熱等によって損傷する可能性が生じる等の異常が検出されると、停止手段によって電磁界形成手段の駆動が停止されるため、異常に起因した事故が未然に防がれる。
【００１４】
請求項４記載の発明は、請求項１から３の何れか１項に記載の紙葉類の識別装置において、所定の紙葉類について、コロナ放電に起因する発光分布を記憶しており、上記真贋判別手段は、上記発光分布と上記受光手段によって受光した発光分布とを比較し、この比較結果に基づいて真贋を判別することを特徴とする。
【００１５】
請求項５記載の発明は、請求項１から４の何れか１項に記載の紙葉類の識別装置において、上記レンズ部は、上記対向電極にそれぞれ設けられていることを特徴とする。
【００１６】
請求項６記載の発明は、請求項５に記載の紙葉類の識別装置において、上記レンズ部は、透明導電膜と透明絶縁膜とを備えていることを特徴とする。
【００１７】
請求項７記載の発明は、請求項１から４の何れか１項に記載の紙葉類の識別装置において、発光素子を備えており、上記受光手段は、上記発光素子からの光を、上記レンズ部を通して紙葉類に照射するとともにその反射光を上記レンズ部を通して受光するとともに、コロナ放電によって生じた紙葉類からの光を上記レンズ部を通して受光することを特徴とする。
【００１８】
請求項８記載の発明は、所定の環境中に置かれることによる紙葉類からの発光を検出して真贋を識別する紙葉類の識別方法であって、コロナ放電を生じさせ得る電磁界を対向電極間で発生させ、この電磁界中で上記コロナ放電によって励起された紙葉類の生地をも含めた紙葉類全体から生じた光を上記対向電極に設けられたレンズ部によって受光手段に集光し、この受光手段からの出力に基づいて真贋を判別することを特徴とする紙葉類の識別方法である。
【００１９】
請求項９記載の発明は、請求項８記載の紙葉類の識別方法において、紙葉類を検出したときに上記受光手段が動作することを特徴とする。
【００２０】
請求項１０記載の発明は、請求項８記載の紙葉類の識別方法において、異常検出により上記電磁界の発生を停止させることを特徴とする。
【００２１】
請求項１１記載の発明は、請求項８記載の紙葉類の識別方法において、所定の紙葉類について記憶され且つコロナ放電に起因する発光分布と上記受光手段によって受光した発光分布とを比較し、この比較結果に基づいて真贋を判別することを特徴とする。
【００２２】
請求項１２記載の発明は、請求項８から１１の何れか１項に記載の紙葉類の識別方法において、上記レンズ部は、上記対向電極にそれぞれ設けられていることを特徴とする。
【００２３】
請求項１３記載の発明は、請求項８から１１の何れか１項に記載の紙葉類の識別方法において、発光素子からの光を上記レンズ部を通して紙葉類に照射し、その反射光を上記受光手段により、上記レンズ部を通して受光するとともに、コロナ放電によって生じた紙葉類からの光を上記受光手段により、上記レンズ部を通して受光することを特徴とする。
【００２４】
【発明の実施の形態】
図１および図２は、参考例に係る紙葉類識別装置を示す斜視図であり、図１は、ケーシング蓋体が閉じられた状態、図２は、ケーシング蓋体が開かれた状態をそれぞれ示している。また、図３は、ケーシングに内装された装置本体の一形態を示す分解斜視図であり、図４はその組立て斜視図である。さらに、図５は、図４のＡ−Ａ線断面図である。なお、図１〜図４において、Ｘ−Ｘ方向を幅方向、Ｙ−Ｙ方向を前後方向といい、特に−Ｘ方向を左方、＋Ｘ方向を右方、−Ｙ方向を前方、＋Ｙ方向を後方という。
【００２５】
本参考例の紙葉類識別装置１は、コロナ放電が生じる高圧の交流電磁界環境中に置かれた紙幣（紙葉類）Ｍからの発光を検出して紙幣Ｍの真贋を識別するものである。かかる識別を行うために、紙葉類識別装置１には後述する交流電磁界形成手段が内装されている。図１および図２に示すように、紙葉類識別装置１は、装置本体２および制御装置８が箱型のケーシング９に内装されて形成されている。ケーシング９は、直方体状のケーシング本体９１と、このケーシング本体９１の上部に設けられた蓋体９２とからなっている。
【００２６】
ケーシング本体９１の上面の幅方向両側部には、前後方向に延びる一対のブラケット９３が設けられ、上記蓋体９２は、その後端部がこれら一対のブラケット９３間に挟持された状態で水平軸９４回りに回動自在に軸支されることにより、図１に示すケーシング本体９１上に折り重なった閉止姿勢と、図２に示すケーシング本体９１の後端部に起立した開放姿勢との間で姿勢変更し得るようになっている。
【００２７】
そして、蓋体９２が閉止姿勢に設定された状態で、図１に示すように、ケーシング本体９１の上面と蓋体９２の下面との間に紙幣通過スリット９５が形成され、ケーシング９の前面からこの紙幣通過スリット９５に紙幣Ｍを差し入れられることにより、紙幣通過スリット９５の入口側の適所に設けられたフォトリフレクターからなる紙幣検出センサー（紙葉類検出手段）３７がこれを検出し、この検出信号に基づいた制御装置８からの駆動信号による駆動機構の駆動によって紙幣Ｍは紙幣通過スリット９５内に引き入れられ、装置本体２に内装された後に詳述する識別機構によって真贋が識別されるようになっている。
【００２８】
上記紙幣通過スリット９５におけるケーシング本体９１の上面には、前後方向に延びる複数本の案内突条９５ａが突設されているとともに、隣接する案内突条９５ａ間には長尺溝９５ｂが形成され、これら案内突条９５ａと長尺溝９５ｂとで、紙幣Ｍの搬送通路としてのケーシング本体９１の天板９５０が形成されている。
【００２９】
上記複数条の長尺溝９５ｂには、それぞれの前後位置に切欠き窓が設けられてここから、図２に示すように、搬送ローラ９５ｃの頂部が突出されている一方、蓋体９２の裏面側には上記搬送ローラ９５ｃに対向した前後一対の補助ローラ９５ｄが設けられ、紙幣通過スリット９５に差し込まれた紙幣Ｍは、搬送ローラ９５ｃと補助ローラ９５ｄとに挟持された状態で、搬送ローラ９５ｃの駆動回転により紙幣通過スリット９５を通過し、紙幣通過スリット９５の後端部から外部に導出されるようになっている。
【００３０】
また、ケーシング本体９１の右側部前方には、電源スイッチ９６が設けられているとともに、上記蓋体９２の頂部の前方位置には表示灯９８（図１）が設けられている。上記表示灯９８は、紙葉類識別装置１が使用可能状態であるか否かを表示するレディランプ９８ａと、紙幣Ｍの真贋の識別結果が合格であることを表示する合格ランプ９８ｂと、同不合格であることを表示する不合格ランプ９８ｃとを備えている。上記レディランプ９８ａは、電源スイッチ９６をオンにすることによって点灯し、これによって装置本体２が識別可能状態であることが表示されるとともに、装置本体２が識別処理中のときはこのレディランプ９８ａが消灯され、これによってレディランプ９８ａが点灯するまでつぎの紙幣挿入を差し控えるべきことが判るようになっている。
【００３１】
ケーシング９に内装される装置本体２は、図３〜図５に示すように、受光素子や光学部材さらには配線基板等が一体的にモジュール化されたセンサー装置２０と、紙幣通過スリット９５内をコロナ放電が生じ得る程度の高圧の交流電磁界環境にするための電磁界形成手段３０とを含んで構成されている。以下センサー装置２０および電磁界形成手段３０が組み合わされたものをセンサー構造という。図３および図５においては、参考例のセンサー構造を示している。
【００３２】
センサー装置２０は、主に蓋体９２に内装されたセンサ筐体４に取り付けられている一方、電磁界形成手段３０は、例えば商用の交流電源３９からの電力を所定の電圧および周波数に変換するインバータ３８と、紙幣通過スリット９５内を交流電磁界環境にする役割の一端を担ったローラ部材３とを備えて構成されている。
【００３３】
上記ローラ部材３は、インバータ３８からの交番電圧が印加される電極の一方側のものであり、ケーシング本体９１内の所定の軸受に自軸心回りに回転自在に軸支される幅方向に延びた金属製の中心軸３１と、この中心軸３１に同心で一体に固定された金属円盤３２と、この金属円盤３２に同心で圧入外嵌されたチタン酸バリウム（ＢａＴｉＯ3）のような高誘電率材料製の絶縁リング３３とからなっている。
【００３４】
一方、上記ケーシング本体９１には、その天板９５０の中央位置に方形のローラ嵌挿窓９１ａ（図２）が穿設され、このローラ嵌挿窓９１ａからローラ部材３の絶縁リング３３が外部に突出している。ローラ部材３は、図略の付勢手段の付勢力で上方に向かって付勢され、これによってその頂部（絶縁リング３３）が案内突条９５ａより上位に位置するようになされている。
【００３５】
かかる絶縁リング３３と後述する透明絶縁薄膜６３とによって形成される紙幣通過スリット９５内の交流電磁界環境の交番電圧は、紙幣通過スリット９５に紙幣Ｍを差し入れた状態で、紙幣Ｍの表面にコロナ放電が生起されるに充分な値になるように設定されている。この交番電圧値は、電極構造や紙幣Ｍの種類等によって異なるが、通常、数百ボルト以上の高電圧に設定される。因みに本参考例においては略１０００〜２０００ボルトに設定されている。
【００３６】
また、絶縁リング３３には、その外周面に軸心の延びる方向に横断した所定ピッチの縞模様３３ａが全周に亘って設けられている一方、ローラ部材３の近傍にはフォトレシーバー３６が設けられている。このフォトレシーバー３６は、絶縁リング３３の外周面に投光してその反射光を受光するように構成されており、上記縞模様３３ａによる反射光の変化でローラ部材３の回転速度を検出するためのものである。
【００３７】
上記センサ筐体４は、平面視で正方形状を呈した所定厚み寸法の筐体本体４１と、この筐体本体４１の下部に一体に連設された逆四角錐台状の漏斗状部４２とを備えて形成されている。一方、蓋体９２の底板９２ａには、上記漏斗状部４２に対応した矩形窓９２ｂ（図２、図５）が穿設されている。この矩形窓９２ｂの内周面には、図５に示すように、上記漏斗状部４２の外壁面の傾斜に対応した傾斜縁部９２ｃが形成され、上から矩形窓９２ｂに嵌め込まれたセンサ筐体４は、漏斗状部４２の外壁面がこの傾斜縁部９２ｃに当止することによって下面を外部に露出した状態で蓋体９２内に装着されるようになされている。
【００３８】
かかるセンサ筐体４の筐体本体４１には、上面に後述する基板５を装着するための基板装着凹部４３が凹設されているとともに、漏斗状部４２の底面には、後述する電極部材６を装着するための電極部材装着凹部４４が凹設されている。上記基板５は、裏面側に取り付けられた後述する受光部材７からのアナログ出力値に対して所定の電気的な処理を施すためのものである。
【００３９】
上記電極部材装着凹部４４に嵌挿される電極部材６は、一方の電極である上記ローラ部材３に対向して設けられた他方の電極を構成するものであり、直方体状のガラス基板６１と、このガラス基板６１に下面に積層された透明導電膜６２と、この透明導電膜６２の下面にさらに積層された透明絶縁薄膜６３とからなっている。透明導電膜６２は、インデウムと錫の合金の酸化物であるＩＴＯ（Ｉｎｄｉｕｍ−Ｔｉｎ−Ｏｘｉｄｅ）や酸化チタン等の誘電体物質を蒸着することによって形成された導電性を有する透明膜である。この透明導電膜６２の存在で、ガラス基板６１の下面が電荷されて電極としての機能を果し得るとともに、透明絶縁薄膜６３を介した下方からの光は電極部材６を透過して受光部材７によって受光され得るようになっている。
【００４０】
上記透明絶縁薄膜６３は、透明でかつ絶縁性を備えたアルミナ（Ａｌ2Ｏ3）皮膜やダイヤモンド皮膜で形成されている。かかる透明絶縁薄膜６３の存在で電極部材６の底部が紙幣Ｍと擦過しても透明導電膜６２が損傷しないようになされている。また、透明絶縁薄膜６３は、紙幣が紙幣通過スリット９５に存在しないときに透明導電膜６２と絶縁リング３３とが直接接触することを阻止し、これによって電気的な短絡現象の生じるのを防止する役割をも担っている。
【００４１】
そして、ガラス基板６１の上面後部の幅方向中央位置には、金属膜６１ａが印刷処理等によって積層されているとともに、この金属膜６１ａを含めて上下に貫通したスルーホール６１ｂが穿設され、このスルーホール６１ｂの内周面に導電性塗料６１ｃが塗布されることにより、金属膜６１ａが導電性塗料６１ｃを介して透明導電膜６２と電気的に接続状態になるようにしている。
【００４２】
従って、インバータ３８からの一方のリード線を所定の端子を介してローラ部材３の中心軸３１に接続するとともに、同他方のリード線を所定の端子を介して金属膜６１ａに接続することにより、ローラ部材３の絶縁リング３３の外周面と、電極部材６の透明絶縁薄膜６３の下面とで紙幣Ｍに高圧交番電圧を印加する対向電極が形成されるようになっている。なお、これら絶縁リング３３と透明絶縁薄膜６３との接触は、接触面が均一に接触するように、図略のスプリングで押圧されている。
【００４３】
上記受光部材７は、光センサ７１と、この光センサ７１に装着されたフォトダイオードからなる受光素子７２と、この受光素子７２に接続された前後方向一対の出力取出し電気接点７３とを備えて構成されている。かかる受光部材７は、２つの電極の接触面の真上に配置されていて、受光素子７２の受光面がガラス基板６１の中央部の上面に対向するように光センサ７１が配置されるとともに、その前後のガラス基板６１上に一対の出力取出し電気接点７３が配された状態でガラス基板６１に固定されている。
【００４４】
各出力取出し電気接点７３は、図略のリード線を介して基板５に接続され、受光素子７２が受光することにより出力されるアナログ信号は、受光素子７２と一体的に形成された増幅回路で一時的な処理が施された後、基板５に搭載された回路でも所定の処理が施されて制御装置８にディジタル信号として入力されることになる。
【００４５】
また、インバータ３８の上記透明導電膜６２と接触してある方のラインは、上記測光回路と共通のグランドに接続されていて、フォトダイオードがインバータ３８から生じるノイズによって影響されることがないようにしている。
【００４６】
かかる紙葉類識別装置１の構成によれば、蓋体９２が閉止された状態の紙葉類識別装置１（図１）の紙幣通過スリット９５に紙幣Ｍを挿入すると、そのことが紙幣検出センサー３７ーによって検出され、これによるインバータ３８の作動でローラ部材３および電極部材６に高圧の交番電圧が印加され、これら対向電極間（絶縁リング３３および透明絶縁薄膜６３間）に高圧の交流電磁界環境が形成された状態になる。
【００４７】
この状態で搬送ローラ９５ｃ（図２）が駆動回転を開始し、紙幣Ｍは紙幣通過スリット９５の奥部に引き込まれていき、図５に示すように、ローラ部材３を中心軸３１回りに回転させながら絶縁リング３３と透明絶縁薄膜６３との間の高圧交流電磁界環境に突入させられる。そして、交流電磁界環境に位置した紙幣Ｍは、絶縁リング３３および透明絶縁薄膜６３間で生起するコロナ放電に励起されてその表面が発光する。
【００４８】
この発光は、紙幣Ｍの移動に応じて受光部材７の受光素子７２によって経時的に受光され、その出力値はディジタル化処理されて制御装置８に入力され、所定の真贋識別処理が施されて識別処理結果が表示灯９８に出力される。
【００４９】
かかる真贋識別機構を説明する前に、識別対象である紙幣Ｍの印字について説明する。図６は、紙幣Ｍの印刷状態の一例を示す斜視図である。また、図７は、そのＣ−Ｃ線拡大断面図であり、（イ）は、ＥＬインキの上に通常の非発光性のインキが積層印字された状態、（ロ）は、通常の非発光性のインキにＥＬインキを混合して得られた混合インキで印字された状態をそれぞれ示している。
【００５０】
紙幣Ｍの表面には、各種の文字や図形や記号が多数印字されている。図６における例では、説明を容易にするために簡略化して紙幣Ｍの表面に「Ｓ」の英文字と、これを取り囲むように４つの点が印刷されたものを示している。かかる紙幣Ｍが紙葉類識別装置１の紙幣通過スリット９５（図１）に差し入れられることにより、搬送ローラ９５ｃ（図２）の駆動回転で紙幣通過スリット９５の奥部に引き入れられ、これによる受光部材７の紙幣Ｍに対する相対移動で、紙幣Ｍの図６に一点鎖線で示す部分が順次走査される。
【００５１】
具体的には、紙幣通過スリット９５内が交流電磁界環境になることによる紙幣Ｍの採光スポットＰ（図５）からの発光が受光素子７２によって経時的に受光（すなわち走査）されるとともに、その出力が制御装置８で比較されて紙幣Ｍの真贋が識別されるのである。
【００５２】
かかる紙幣Ｍは、図７に示すように、用紙Ｍ１と、印字面を平滑にするために所定のコーティング材でコーティング処理されることにより用紙Ｍ１表面に積層されたコーティング層Ｍ２と、このコーティング層Ｍ２の表面に印刷処理が施されることにより形成した印刷隆起部Ｍ３と、用紙Ｍ１の適所で用紙Ｍ１を横断するように形成された帯状のセキュリティースレッドＭ４とからなっている。セキュリティースレッドＭ４は、用紙Ｍ１に細いプラスチックフィルムがサンドイッチ状に挟み込まれることによって形成されている。
【００５３】
上記印刷隆起部Ｍ３は、図７の（イ）に示す例の場合は、ＥＬインキで印刷されたＥＬインキ部Ｍ３１と、その上に通常の印刷インキが積層されて形成した通常インキ部Ｍ３２とからなっている。通常インキ部Ｍ３２のインキは、ＥＬ光を透過し、かつ、ＥＬ光の波長と異なる波長のものが採用されている。
【００５４】
これに対し、図７の（ロ）に示す例の印刷隆起部Ｍ３は、上記通常インキ部Ｍ３２と同様の印刷インキからなるインキ生地Ｍ３２′の中にＥＬ材料の微粒子（ＥＬ微粒子Ｍ３１′）が混入されてなるインキによって形成されている。そして、いずれの印刷隆起部Ｍ３も、受光部材７による走査で紙幣Ｍの真贋を識別する上で差は認められない。
【００５５】
このような印刷隆起部Ｍ３およびセキュリティースレッドＭ４の形成された紙幣Ｍを、紙葉類識別装置１の紙幣通過スリット９５に差し込むと、紙幣検出センサー３７がこれを検出し、これによる交流電源３９からの電力供給により紙幣通過スリット９５内のローラ部材３と透明絶縁薄膜６３間が高圧の交流電磁界の環境に設定される。この状態で紙幣Ｍは搬送ローラ９５ｃの駆動回転でローラ部材３の金属リング３４とガラス基板６との間に入り込み（図５）、これらと摺接しながら紙幣通過スリット９５を通り抜け、受光素子７２によって走査されることになる。そして、この走査において紙幣Ｍの採光スポットＰ（図５）に位置した部分は、この位置が高圧交流電磁界環境になっていることから、コロナ放電によって発光し、その光がガラス基板６を透過して受光素子７２に受光されるのである。
【００５６】
図８は、受光部材７による操作で受光素子７２が受光した受光量の出力値の経時変化を示すグラフであり、（イ）は、受光量に何らの加工を施すことなくそのまま出力した場合の出力値の経時変化、（ロ）は、受光量のアナログ信号をハイパスフィルターに通した場合の出力値の経時変化、（ハ）は、受光量のアナログ信号をローパスフィルターに通した場合の出力値の経時変化をそれぞれ示している。（イ）〜（ハ）の各グラフにおいて、縦軸に受光素子７２からの出力値を設定しているとともに、横軸に時間の経過を設定している。
【００５７】
まず、図８の（イ）に示すように、受光素子７２の受光量に何らの加工を施すことなくそのまま出力した場合には、時刻「ｔ1」と時刻「ｔ2」との間に出力値が他とは突出した１つの山が形成されているとともに、時刻「ｔ3」と時刻「ｔ4」との間にも２つめの山が形成されている。これに対し、走査開始の時刻「ｔ0」と時刻「ｔ1」との間、時刻「ｔ2」と時刻「ｔ3」との間および時刻「ｔ4」と走査終了の時刻「ｔ5」との間については、若干の変動が認められるものの、点線で示すように略一定の値で推移している。
【００５８】
このことは、高圧交流電磁界環境である採光スポットＰでのコロナ放電による紙幣Ｍの発光は、用紙Ｍ１の表面に印刷隆起部Ｍ３が存在する場合、およびセキュリティースレッドＭ４が存在する場合等、紙幣Ｍの厚み寸法に比例することを示している。このことについては、用紙Ｍ１の厚み寸法やインク層の厚み寸法を種々変動させて発光の度合いを調べる試験を数多く行った比較試験の結果によっても認められた事実である。
【００５９】
そして、本発明は、かかる事実に基づいて得られたものである。すなわち、本物の紙幣Ｍは、その用紙Ｍ１に各種の印刷処理によって形成された所定の印刷隆起部Ｍ３が存在するとともに、セキュリティースレッドＭ４が設けられていたり、さらには他より厚み寸法が薄い透かしが形成されたり、押圧処理で厚み寸法が他より薄く設定されている部分が存在することもあるなど、厚み寸法が位置によって異なるのである。しかも、本物の紙幣Ｍにおいては、上記厚み寸法の変動は、位置の関数として一定のパターン（すなわち厚み分布）が存在するのである。
【００６０】
従って、紙幣Ｍの真贋を確実に識別するためには、本物の紙幣Ｍの厚み分布が分かれば、識別対象の紙幣Ｍの厚み分布を測定し、測定結果の厚み分布と本物の紙幣Ｍの厚み分布とを比較してその一致度が所定のレベル以上であるか否かを判定するようにすればよい。
【００６１】
しかしながら、従来、迅速、簡便かつ確実に識別対象の紙幣Ｍの厚み分布を測定することができなかったことから、厚み分布に基づいた真贋識別装置が実現しなかったのであるが、高圧交流電磁界環境でのコロナ放電による紙幣Ｍの発光の度合いは、紙幣Ｍの厚み寸法に比例するという事実を見出した結果本願発明に到達したのである。
【００６２】
そして、本参考例においては、図８の（イ）に示す受光素子７２からの生の出力値に代えて、図８の（ロ）に示すように、受光素子７２からの出力値をハイパスフィルターに通すことによって得られるハイパス出力値、および図８の（ロ）に示すように、受光素子７２からの出力値をローパスフィルターに通すことによって得られるローパス出力値を、真贋判定の基礎データとして採用するようにしている。
【００６３】
このようにした理由は、受光素子７２からの出力値をハイパスフィルターで処理することによって、印刷隆起部Ｍ３やセキュリティースレッドＭ４等の出力値が大きくなる部分の出力パターンを拡大的に表示することができる一方、ローパスフィルターで処理することによって紙幣Ｍの生地の部分の出力パターンを顕著に際立たせることが可能になり、これらによって紙幣Ｍの真贋識別がより確実に行い得るようになるからである。
【００６４】
つぎに、図９を基に制御装置８による真贋識別制御について説明する。図９は、制御装置８による受光素子７２の出力値に基づいた真贋識別制御の一形態を示すブロック図である。この図に示すように、紙幣Ｍの真贋識別制御および紙葉類識別装置１の駆動制御は、内部にＣＰＵ（Ｃｅｎｔｒａｌ  Ｐｒｏｃｅｓｓｉｎｇ  Ｕｎｉｔ）８０を備えた制御装置８により行われる。制御装置８には、ＲＡＭ（Ｒａｎｄｏｍ  Ａｃｃｅｓｓ  Ｍｅｍｏｒｙ）８１およびＲＯＭ（Ｒｅａｄ  Ｏｎｌｙ  Ｍｅｍｏｒｙ）８２が接続されている。
【００６５】
上記ＲＡＭ８１は、データの読み書きを自在に行うことができる外部記憶装置であり、受光素子７２からの経時的な出力値や所定の演算処理結果等が入力されるとともに、必要に応じて中間処理や演算結果の各種の値が出力される。また、上記ＲＯＭ８２は、読み取り専用の外部記憶装置であり、真贋の比較演算を行うプログラムが予め記憶されている。電源スイッチ９６（図１）の操作で紙葉類識別装置１に電力が供給されると、ＲＯＭ８２のプログラムが制御装置８に取り込まれて演算に供される。
【００６６】
そして、制御装置８は、紙幣Ｍが紙幣通過スリット９５に差し込まれる都度、各種の機器に向けて駆動信号を出力したり、上記プログラムに従って受光素子７２からの出力値（光強度）に基づいて予め記憶されている本物のパターンとの比較演算を行って紙幣Ｍの真贋判定を行うようになっている。
【００６７】
かかる制御装置８のＣＰＵ８０と受光素子７２との間には（なお図９において図３に示した出力取出し電気接点７３および基板５の図示を省略している）増幅器８３が介設されているとともに、この増幅器８３とＣＰＵ８０との間には、ハイパスフィルター８３１およびローパスフィルター８３２がそれぞれ並列で介設されている。増幅器８３は、受光素子７２からの微弱な検出信号を増幅するものであり、ハイパスフィルター８３１は、受光素子７２からの出力のうち高周波数成分を通過させるものであり、ローパスフィルター８３２は、受光素子７２からの出力のうち低周波数成分を通過させるものである。
【００６８】
そして各フィルター８３１，８３２とＣＰＵ８０との間にはそれぞれＡ／Ｄ変換器８３３が接続されている。Ａ／Ｄ変換器８３３は、各増幅器５２１ａ，５３１ａ，５２２ａからのアナログ信号をディジタル信号に変換するものである。
【００６９】
そして、受光素子７２からのアナログ出力値は、増幅器８３で増幅処理が施されて増幅アナログ出力信号となり、この増幅アナログ出力信号は、２つに分岐されて一方がハイパスフィルター８３１に通されるとともに、他方がローパスフィルター８３２に供給される。そして、各フィルター８３１，８３２からの出力はそれぞれＡ／Ｄ変換器８３３に供給されてディジタル信号に変換され、ＣＰＵ８０に入力される。
【００７０】
また、交流電源３９からのローラ部材３および電極部材６に対する電力供給はスイッチ回路３９１およびインバータ３８を介して行われるようになっている。インバータ３８は、交流電源３９から供給される交流電力を、所定の電圧および周波数の交番電圧に変換してローラ部材３および電極部材６に供給するものであり、ＣＰＵ８０から出力される制御信号に基づくスイッチ回路３９１の動作でローラ部材３および電極部材６に対する供給電力のオン・オフ操作が行われるとともに、オンされた場合の電圧値および周波数を所定のものに設定するようになされている。
【００７１】
なお、電源は交流電源３９であることに限定されるものではなく、直流電源であってもよい。
【００７２】
また、インバータ３８とＣＰＵ８０との間には、モニター回路３８１とＡ／Ｄ変換器３８２とが介設されている。モニター回路３８１は、インバータ３８内を流れる電流の値をモニター（検知）するためのものであり、このモニター回路３８１でモニターされた電流値はＡ／Ｄ変換器３８２によってディジタル化された後にＣＰＵ８０に入力され、この電流値が予め設定された電流値の範囲内に入っているか否かが判別されて範囲から外れているときは、異常事態が発生したとして警報が出力されるとともに、スイッチ回路３９１がオフされるようになっている。
【００７３】
また、上記フォトリフレクター３６からはローラ部材３の回転速度（具体的には絶縁リング３３の外周面に付設された縞模様３３ａの検出位置における単位時間当たりの通過数）を示す検出信号がＣＰＵ８０に入力され、この入力値に応じたタイミングパルスが図略のタイミングパルス発生回路を介して各Ａ／Ｄ変換器８３３に向けて出力されるようになっている。上記タイミングパルス発生回路は、各Ａ／Ｄ変換器８３３に対し、アナログ信号をディジタル信号に変換するに際して時間的な区切りを示すいわゆるタイミング信号を与えるものであり、このタイミング信号による時間的な区切り内のアナログ量の最初の値あるいは平均値的な値がディジタル値とされる。
【００７４】
また、紙幣Ｍが紙幣通過スリット９５に差し入れられたことを検出する紙幣検出センサー（紙葉類検出手段）３７からの検出信号もＣＰＵ８０に入力される。この検出信号が入力されたＣＰＵ８０は、紙幣Ｍの前端部が採光スポットＰに到達する時間を演算してその時間が経過した時点にスイッチ回路３９１に制御信号を出力する。従って、紙幣Ｍの前端部が採光スポットＰに到達したとき採光スポットＰは交流電磁界環境になっており、紙幣Ｍは発光する。また、紙幣検出センサー３７が紙幣Ｍの後端部を検出した時点から所定の時間が経過した後にＣＰＵ８０からの制御信号によってスイッチ回路３９１はオフとされ、これによって採光スポットＰの交流電磁界環境が解消する。
【００７５】
そして、上記のように処理された受光素子７２のディジタル化された出力値がＣＰＵ８０に入力されると、ＣＰＵ８０は、入力された上記出力値を対象として所定の演算処理を施して紙幣Ｍの真贋を判別する。
【００７６】
この真贋識別処理を行うために、ＣＰＵ８０には受光素子７２からのディジタル出力値と、予め設定されてＲＡＭ８１に記憶されている本物の紙幣Ｍの出力値の経時的な光強度のパターン（基準光強度）とを比較演算する光強度比較手段８０ａと、この光強度比較手段８０ａによる比較結果に基づいて紙幣Ｍの真贋を判別する真贋判別手段８０ｂと、採光スポットＰが予め設定された電圧環境よりも高電圧になったことを検出する異常検出手段８０ｃとが設けられている。
【００７７】
上記光強度比較手段８０ａでは、受光素子７２からのディジタル出力値が入力される度に、予め設定されている基準光強度との比較が行われて偏差が演算されて逐一ＲＡＭ８１に記憶され、真贋判別手段８０ｂでは、上記逐一記憶された偏差がＲＡＭ８１から呼び出されて統計的な手法で差の検定が実行され、両者の間に有意な差が認められなかったときは紙葉類識別装置１に供された紙幣Ｍが本物であると判定され、有意な差が存在したときは偽物と判定される。
【００７８】
異常検出手段８０ｃでは、インバータ３８からモニター回路３８１およびＡ／Ｄ変換器３８２を介して入力された電流値が予め設定されている電流値を越えるか否かが判別され、越えているときはＣＰＵ８０からスイッチ回路３９１に向けて停止信号が出力され、これによるスイッチ回路３９１の停止動作でローラ部材３および電極部材６への電極供給が遮断されるようになっている。かかる異常検出手段８０ｃを設けることにより、採光スポットＰが異常な高圧環境になって紙幣Ｍが損傷するような不都合を確実に防止することができる。その他、異物が混入して電極部の絶縁状態が破壊される場合等が考えられるが、かかる不都合（電極の損傷）も阻止される。
【００７９】
そして、真贋判別手段８０ｂによる真贋判別結果は、上記表示灯９８に向けて出力され、合格ランプ９８ｂおよび不合格ランプ９８ｃのいずれが点灯しているかを視認することによって、紙幣通過スリット９５に通した紙幣Ｍの真贋を知ることができる。また、レディランプ９８ａの点灯によって紙葉類識別装置１が紙幣Ｍの受入れ可能を視認することができる。
【００８０】
また、制御装置８には、紙葉類識別装置１に装置された各種の機器（搬送ローラ９５ｃや図略のフラッパー等）に駆動信号を出力する駆動制御回路８４が付設され、この駆動制御回路８４を介した制御装置８からの制御信号によって紙葉類識別装置１内の各所の機器が互いに連係しながら動作するようになされている。
【００８１】
以下、図１０を基に、制御装置８によるデータサンプリングの制御について説明する。図１０は、受光素子７２によって読み取った紙幣Ｍの紙面の発光データを蓄積するためのデータサンプリングルーチンのフローを示すフローチャートである。まず、ステップＳ１でデータサンプリングルーチンがスタートすると、ＣＰＵ８０は、ＲＯＭ８２から呼び出したプログラムに従って各種のカウンタ、レジスタ、フラグをクリアーして各部の機構を初期化するとともに、搬送ローラ９５ｃ等の搬送機構を動作開始待機状態にする（Ｓ２）。
【００８２】
この状態で、真贋を識別すべき紙幣Ｍが紙幣通過スリット９５の挿入口に差し入れられると、このことを紙幣検出センサー３７が検出し（Ｓ３）、これに基づいてＣＰＵ８０は、搬送機構の動作開始の信号を出力し、これによる搬送ローラ９５ｃの駆動回転で紙幣Ｍが紙幣通過スリット９５内に引き入れられていく（Ｓ４）。ステップＳ３で紙幣Ｍの紙幣通過スリット９５内への差し入れがないときは、ステップＳ３が繰り返されて紙幣Ｍが紙幣通過スリット９５に挿入されるまで待機する。
【００８３】
そして、紙幣検出センサー３７が紙幣Ｍを検出した後、所定の時間（紙幣Ｍの先端が採光スポットＰに到達するまでの時間）が経過すると、ＣＰＵ８０からの制御信号によってスイッチ回路３９１がオン状態になって交流電源３９からの電力がインバータ３８に供給され（Ｓ５）、所定の高圧の交番電圧がローラ部材３および電極部材６に印加されることによって紙幣通過スリット９５内が高圧交流電磁界環境になる。
【００８４】
ついで、ステップＳ６でモニター回路３８１がインバータ３８に流れる電流を検出し、この検出電流値はＡ／Ｄ変換器３８２によってディジタル変換されてＣＰＵ８０に入力され、この電流値が予め設定された閾値を越えている場合には、ステップＳ７にジャンプして第１タイマーをスタートさせ、所定時間が経過した後（Ｓ８）、ステップＳ１２にジャンプしてインバータ３８が停止させられる。引き続きＣＰＵ８０からの信号によるスイッチ回路３９１のオフ動作でインバータ３８が停止するとともに（Ｓ１２）、紙幣Ｍの搬送が停止されて（Ｓ１３）警告が表示されて（Ｓ１４）終了する。こうすることによってローラ部材３および電極部材６に対する必要以上の高電圧印加を阻止し、ローラ部材３および電極部材６の劣化が早まるのを防ぐようにしている。
【００８５】
ステップＳ６でインバータ３８を流れる電流値が閾値未満のときは、第２タイマーがスタートされ（Ｓ９）、その後フォトリフレクター３６による絶縁リング３３の表面の縞模様３３ａに基づくパルスが検出されたか否かが判別され（Ｓ１０）、パルスが検出されないときは第２タイマーのスタートからの経過時間が予め設定された一定時間を経過しているか否かが問われる（Ｓ１１）。
【００８６】
そして、一定時間が経過していないときはステップＳ１０に戻されてステップＳ１０〜ステップＳ１１が繰り返され、この繰り返しの間にパルスが検出されず、しかも第２タイマーが一定時間に到達すると、ローラ部材３が回転していないと判断されて異常時のルーチンであるステップＳ１２以下が実行されてインバータ３８が停止されるとともに、搬送系統の駆動が停止され、警告表示されて終了する。こうすることによってローラ部材３および電極部材６間に紙幣Ｍが存在しない状態で必要以上の高電圧印加を阻止し、ローラ部材３および電極部材６の劣化が早まるのを防ぐようにしている。
【００８７】
これに対し、ステップＳ１０でフォトリフレクター３６により絶縁リング３３の縞模様３３ａのパルスが検出されると、高圧の交流電磁界環境にある紙幣Ｍがコロナ放電で発光し、採光スポットＰにおける発光が受光素子７２によって受光され、ＣＰＵ８０に入力されて所定の記憶装置（例えばＲＡＭ８１）に記憶される（Ｓ１６）。引き続き第１タイマーおよび第２タイマーがリセットされ（Ｓ１７、Ｓ１８）、ステップＳ１９でフォトリフレクター３６からのパルス信号が途絶えたか否かで紙幣Ｍの搬送が完了したか否かが判別され、パルス信号が発振されている搬送途中の場合はステップＳ６に戻されて以下のステップが繰り返し実行される一方、パルス信号の途絶えによって搬送が終了したと判別されるとインバータ３８の駆動が停止されて紙幣Ｍの真贋識別用のデータの取り込みが終了する（Ｓ２１）。
【００８８】
本参考例の紙葉類識別装置１は、以上詳述したように、紙幣Ｍをコロナ放電が生じ得る高圧の交流電磁界環境中に置くことによる紙幣Ｍからの発光を検出して真贋を識別するようにしているため、この発光は、例えば真贋判別のために印字されたセキュリティマーク等の特定の位置からのみでなく、紙幣Ｍの生地をも含めた全体から生じるものであり、本物の紙幣Ｍの全面に亘ったコロナ放電に起因する発光分布を予め記憶させておくことにより、本物の紙幣Ｍの発光分布と、識別対象の発行分布とを真贋判別手段に比較させることによって紙幣Ｍの真贋を従来にも増して確実に識別することができる。
【００８９】
すなわち、コロナ放電による紙幣Ｍからの発光は、紙幣Ｍの厚み分布や、各種の印刷インキの有無やインキの粒子の大きさ等によって変動するものであるため、本物の紙幣Ｍの厚み分布を特定のものにしたり、厚み分布との兼ね合いで各種の印刷インキを用いたりすることにより、単に印刷インキを選択することのみによっては、真贋の見分けが困難な偽物の紙幣Ｍを作成することができず、偽物製造に対する抑止効果が得られるとともに、たとえ偽物がつくられても偽物であることを容易かつ確実に識別することができる。
【００９０】
図１１は、センサー構造の実施形態を示す側面視の断面図である。この実施形態においては、先の実施形態で採用されていたような電極としてのローラ部材３を用いる代わりに、電極機能を備えた上下一対のシリンドリカルレンズ６０２，６０３を採用している。そして、紙幣Ｍを高圧の交番電圧が印加された上下のシリンドリカルレンズ６０２，６０３で挟持しながら移動させることによりコロナ放電を生起させ、これによる紙幣Ｍの発光を、シリンドリカルレンズを介して受光素子に受光させるようにしている。
【００９１】
以下、かかる実施形態のセンサー構造について図１１を基に詳細に説明する。センサー構造は、上下一対の金属製センサ筐体４ａの対向面に装着された上下一対電極部材６ａと、センサ筐体４ａの電極部材６ａと反対側の端部に設けられた受光部材７と、各電極部材６ａに高圧の交番電圧を印加する交流電源装置３９０とを備えて構成されている。交流電源装置３９０は、先に説明した交流電源３９、スイッチ回路３９ａおよびインバータ３８等を含む装置である。
【００９２】
上記センサ筐体４ａは、筒状を呈し、電極部材６ａおよび受光部材７を上記定位置に保持するとともに、交流電源装置３９０からの高電磁界ノイズが受光素子７２に及ぶのを阻止する役目を担っている。かかるセンサ筐体４ａは、一方の端面に凹設されたレンズ装着凹部４０１を有しているとともに、他方の端面から凹設された受光部材装着凹部４０２を有し、これら凹部４０１，４０２間に電極部材６ａを透過した光を受光部材７の受光素子７２に導く光路孔４０３が設けられている。
【００９３】
かかる各センサ筐体４ａの外周にはそれぞれフランジ４０４が設けられ、各センサ筐体４ａにそれぞれ外嵌されたコイルスプリング４０５が各フランジ４０４を互いに接近する方向に向けて押圧することにより、各センサ筐体４ａに対向配置された上下の電極部材６ａが互いに均一にかつ線状で当接するようになっている。
【００９４】
図１２は、電極部材６ａの一実施形態を示す斜視図である。この図に示すように、電極部材６ａは、全体的にガラス材料によって幅方向（Ｘ−Ｘ方向）に長尺に形成され、中央のレンズ部６０１と、このレンズ部６０１の前後方向（Ｙ−Ｙ方向）の各縁部から外方に向けて突設された突設縁部６０４とからなっている。そして、突設縁部６０４がレンズ装着凹部４０１に嵌め込まれることにより電極部材６ａがセンサ筐体４ａに装着されるようになっている。
【００９５】
上記レンズ部６０１は、突設縁部６０４を境にして上下方向の一方側に形成されて光路孔４０３内に収納される第１レンズ６０２と、同他方側に形成されて外部に露出される、シリンドリカルレンズである第２レンズ６０３とからなっている。そして、上下の電極部材６ａは、図１１に示すように、第２レンズ６０３が互いに対向するように各センサ筐体４ａに取り付けられている。
【００９６】
第２レンズ６０３を構成するシリンドリカルレンズは、基本的に一方向にのみ曲率を有するレンズであり、第２レンズ６０３は、前後方向に円弧状に形成されているとともに幅方向に直線状に形成され、これによって上下の第２レンズ６０３は互いに線接触するようになっている。これに対して第１レンズ６０２は、前後方向に円弧状に形成されているばかりか、幅方向でも中央部が上方に膨出するように円弧状に形成され、これによって光を効率的に受光素子７２に集光する機能を備えたものになっている。
【００９７】
そして、各第２レンズ６０３には、先に説明したのと同様の透明導電膜６２と透明絶縁薄膜６３とが順次積層されており、上下の透明導電膜６２が上下の透明絶縁薄膜６３を介して挟持された紙幣Ｍに高圧の交番電圧を印加するための電極としての機能を果すようになっている。
【００９８】
さらに、第１レンズ６０２には、その全面に透明導電膜６２が積層され、かかる透明導電膜６２の積層によってセンサ筐体４ａの光路孔４０３内の三方が導電体によって包囲され、光路孔４０３内が電磁的にシールド構造になっている。かかるシールド構造によって光路孔４０３内への外乱電磁波の侵入が防止されるようにしている。
【００９９】
そして、突設縁部６０４の外面の適所には、透明導電膜６２と導通した金属薄膜６０５が積層され、この金属薄膜６０５と交流電源装置３９０とが互いに接続されることにより、交流電源装置３９０からの高圧の交番電圧が各透明導電膜６２に印加され、これによって上下の電極部材６ａに挟持された紙幣Ｍからコロナ放電による発光が生起されるようにしている。そして、上下の透明絶縁薄膜６３の当接位置に紙幣Ｍからの発光を採光するための採光スポットＰが形成されている。
【０１００】
本実施形態のセンサー構造によれば、交流電源装置３９０からの高圧交番電圧が各電極部材６ａに印加された状態で紙幣Ｍを搬送ローラ９５ｃの駆動回転で上下の電極部材６ａ間に送り込むと、紙幣Ｍは、電極部材６ａの第２レンズ６０３間に嵌り込んでいく。このとき第２レンズ６０３間は高圧の交流電磁界環境になっていることから、紙幣Ｍはコロナ放電によって発光し、採光スポットＰからの発光はレンズ部６０１を透過して受光素子７２によって受光され、以後は先に説明した通りの手順によって真贋識別処理に供されることになる。
【０１０１】
このように、ローラ部材３に代えて電極部材６ａを採用することにより、電磁界形成手段が可動部分を含まなくなるため、その分装置の構造が簡素化される。また、電極部材６ａを上下に配するようにしているため、一度の操作で紙幣Ｍの表裏を同時に走査することが可能になり、紙幣Ｍの表裏を走査するために、一度紙葉類識別装置１に通した紙幣Ｍを裏返して再度紙葉類識別装置１に通すような面倒がなくなり、その分真贋識別の操作性が向上する。
【０１０２】
図１３は、図１１に示す実施形態のセンサー構造の変形形態を示す側面視の断面図である。この実施形態においては、センサ筐体４ａの側壁に光路孔４０連通するように穿設された装着孔４０６が穿設され、この装着孔４０６に発光素子であるＬＥＤチップ（Ｌｉｇｈｔ  Ｅｍｉｔｔｉｎｇ  Ｄｉｏｄｅ）６００ｃの内装されたＬＥＤ部材６００が嵌挿されている。ＬＥＤ部材６００の先端上部には、ＬＥＤチップ６００ｃからのＬＥＤ光を下方に向けて反射させる反射面６００ａが形成されているとともに、同先端下部には上記反射面６００ａからのＬＥＤ光を電極部材６ａのレンズ部６０１を介して採光スポットＰに向かわせるように方向設定された凸レンズ６００ｂが設けられている。
【０１０３】
かかる変形形態のセンサー構造によれば、ＬＥＤチップ６００ｃを光らせることにより、そのＬＥＤ光はＬＥＤ部材６００の反射面６００ａ、凸レンズ６００ｂおよび電極部材６ａのレンズ部６０１を介して採光スポットＰに照射されるため、採光スポットＰに位置した紙幣Ｍからの反射光がレンズ部６０１を通って受光部材７に受光されることになる。従って、ＬＥＤチップ６００ｃが放射するＬＥＤ光の波長を、コロナ放電による紙幣Ｍからの発光の波長と異ならせておけば、受光部材７が受光した光を、例えばカラーセンサー等を用いて分別していずれの光であるか知ることができ、これによって紙幣Ｍの真贋識別精度を向上させることが可能になる。
【０１０４】
【発明の効果】
請求項１記載の発明は、コロナ放電が生じ得る電磁界環境中に紙葉類を配置して紙葉類からの発光を受光手段で検出し、真贋判別手段によって真贋を識別するようにしているため、紙葉類をコロナ放電が生じ得る電磁界環境に置くことにより、紙葉類からはコロナ放電に起因した発光が起こり、この発光は、紙葉類の生地をも含めた全体から生じるものであり、従って、装置に本物の紙葉類の全面に亘ったコロナ放電に起因する発光分布を予め記憶させておくことにより、本物の紙葉類の発光分布と、識別対象の発行分布とを真贋判別手段に比較させることによって紙葉類の真贋を確実に識別することができる。
【０１０５】
請求項２記載の発明によれば、電磁界を形成する電磁界形成手段と、この電磁界形成手段によって形成された電磁界を横断するように紙葉類を搬送する搬送手段と、紙葉類の電磁界中の搬送を検出する紙葉類検出手段とを備え、受光手段を紙葉類検出手段が紙葉類を検出したときに動作するように構成したため、紙葉類に、電磁界形成手段によって得られた電磁界環境を搬送手段の駆動で横断させながら横断中の紙葉類に対して受光手段によって走査を行うことで紙葉類の搬送方向に沿った発光分布を容易に得ることができる。そして、受光手段を移動させずに紙葉類を搬送することにより走査が容易になるとともに、走査構造を簡単なものにすることができる。
【０１０６】
そして、受光手段は、紙葉類検出手段が紙葉類を検出したときに動作するように構成されているため、電磁界環境に対する紙葉類の供給・排出の都度、受光手段の駆動・停止のためのスイッチ操作を行う必要がなくなり、装置の操作性を向上させることができる。
【０１０７】
請求項３記載の発明によれば、搬送中の紙葉類の異常を検出する異常検出手段と、この異常検出手段の異常検出により上記電磁界形成手段の駆動を停止させる停止手段とを設けたため、高電圧が必要時間以上印加された状態の電磁界環境で紙葉類が変質する等の異常が検出されると、停止手段によって電磁界形成手段の駆動が停止され、異常に起因した事故を未然に防止することができる。
【図面の簡単な説明】
【図１】  参考例に係る紙葉類識別装置を示す斜視図であり、ケーシング蓋体が閉じられた状態を示している。
【図２】  図１に示す紙葉類識別装置のケーシング蓋体が開かれた状態を示す斜視図である。
【図３】  図３は、ケーシングに内装された装置本体を示す分解斜視図である。
【図４】  図３に示す装置本体の組立て斜視図である。
【図５】  図４に示す装置本体のＡ−Ａ線断面図である。
【図６】  紙幣の被印刷状態の一例を示す斜視図である。
【図７】  図６に示す紙幣のＣ−Ｃ線拡大断面図であり、（イ）は、ＥＬインキの上に通常の非発光性のインキが積層印字された状態、（ロ）は、通常の非発光性のインキにＥＬインキを混合して得られた混合インキで印字された状態をそれぞれ示している。
【図８】  受光部材による操作で受光素子が受光した受光量の出力値の経時変化を示すグラフであり、（イ）は、受光量に何らの加工を施すことなくそのまま出力した場合の出力値の経時変化、（ロ）は、受光量のアナログ信号をハイパスフィルターに通した場合の出力値の経時変化、（ハ）は、受光量のアナログ信号をローパスフィルターに通した場合の出力値の経時変化をそれぞれ示している。
【図９】  制御装置による受光素子の出力値に基づいた真贋識別制御の一形態を示すブロック図である。
【図１０】  受光素子によって読み取った紙幣の紙面の発光データを蓄積するためのデータサンプリングルーチンのフローを示すフローチャートである。
【図１１】  センサー構造の実施形態を示す側面視の断面図である。
【図１２】  電極部材の一実施形態を示す斜視図である。
【図１３】  図１１に示す実施形態のセンサー構造の変形形態を示す側面視の断面図である。
【符号の説明】
１  紙葉類識別装置        ２  装置本体
２０  センサー装置      ３  ローラ部
３０  電磁界形成手段    ３１  中心軸
３２  金属円盤          ３３  絶縁リング
３３ａ  縞模様          ３６  フォトレシーバー
３７  紙幣検出センサー  ３８  インバータ
３８１  モニター回路    ３９  交流電源
３９１  スイッチ回路    ４，４ａ  センサ筐体
４１  筐体本体          ４２  漏斗状部
４３  基板装着凹部      ４４  電極部材装着凹部
４５，４０３  光路孔    ４０１  レンズ装着凹部
４０２  受光部材装着凹部  ４０４  フランジ
５  基板                ６，６ａ  電極部材
６１  ガラス基板        ６１ａ  金属膜
６１ｂ  スルーホール    ６１ｃ  導電性塗料
６２  透明導電膜        ６３  透明絶縁薄膜
６０１  レンズ部        ６０２  第１レンズ
６０３  第２レンズ      ６０４  突設縁部
６０５  金属薄膜        ７  受光部材
７１  光センサ          ７２  受光素子
７３  出力取出し電気接点
８  制御装置            ８０  ＣＰＵ
８０ａ  光強度比較手段  ８０ｂ  真贋判別手段
８１  ＲＡＭ            ８２  ＲＯＭ
８３  増幅器
８３１  ハイパスフィルター
８３２  ローパスフィルター
８３３  Ａ／Ｄ変換器
９  ケーシング
９１  ケーシング本体    ９１ａ  ローラ嵌挿窓
９２ｂ  矩形窓          ９２ｃ  傾斜縁部
９３  ブラケット        ９４  水平軸
９５  紙幣通過スリット  ９５  紙幣通過スリット
９５ｂ  長尺溝          ９５ｃ  搬送ローラ
９５ｄ  補助ローラ      ９６  電源スイッチ
９８  表示灯            ９８ａ  レディランプ
９８ｂ  合格ランプ
Ｍ  紙幣                Ｍ１  用紙
Ｍ２  コーティング層    Ｍ３  印刷隆起部
Ｍ３１  ＥＬインキ部    Ｍ３１′  ＥＬ微粒子
Ｍ３２  通常インキ部Ｍ  Ｍ３２′  インキ生地
Ｐ  照射スポット
【図１】
0004652538.tif 000002
【図２】
0004652538.tif 000003
【図３】
0004652538.tif 000004
【図４】
0004652538.tif 000005
【図５】
0004652538.tif 000006
【図６】
0004652538.tif 000007
【図７】
0004652538.tif 000008
【図８】
0004652538.tif 000009
【図９】
0004652538.tif 000010
【図１０】
0004652538.tif 000011
【図１１】
0004652538.tif 000012
【図１２】
0004652538.tif 000013
【図１３】
0004652538.tif 000014